(57)【要約】      （修正有）【課題】ボールペンの使用とＩＣレコーダとしての使用を同時にでも行なえるとともに、分離しての使用と、パソコンに接続して使用することができ、かつＵＳＢ端子の不使用時には安全にカバーすることができるＩＣレコーダペンを提供する。【解決手段】先端部材２と、この先端部材の後端部に回転可能に取付けられた、該先端部材の先端部よりボールペンの芯３を出没させることができる軸部材４と、この軸部材の後端部に着脱可能に取付けられた、該軸部材と着脱される部位にＵＳＢ端子が設けられたＩＣレコーダが組み込まれた頭部部材７とでＩＣレコーダペンを構成している。【選択図】図１
0003140058.tif 000002
【実用新案登録請求の範囲】
【請求項１】
先端部材と、この先端部材の後端部に回転可能に取付けられた、該先端部材の先端部よりボールペンの芯を出没させることができる軸部材と、この軸部材の後端部に着脱可能に取付けられた、該軸部材と着脱される部位にＵＳＢ端子が設けられたＩＣレコーダが組み込まれた頭部部材とからなるＩＣレコーダペン。
【請求項２】
軸部材の後端部には嵌合孔が形成され、頭部部材の先端部には前記軸部材の嵌合孔に着脱可能に嵌合される端部に開口するメス型ＵＳＢ端子が形成された嵌合片が形成されていることを特徴とする請求項1記載のＩＣレコーダペン。  
【考案の詳細な説明】
【技術分野】
【０００１】
本考案はボールペンとしての使用とＩＣレコーダとしての使用が同時にでき、かつパソコンに接続することができるＩＣレコーダペンに関する。
【背景技術】
【０００２】
従来、ペン型に形成した音声記録再生装置が考えられているが、形状がペン型に形成されているか、あるいはボールペン等の筆記具を先端部に備えている。
【０００３】
しかしながら、これらのペン型に形成した音声記録再生装置はいずれも筆記具と音声記録再生装置とを同時に使用することができないとともに、分離して、それぞれ使用することができないという欠点があった。
また、ＩＣレコーダが組み込まれた頭部部材をパソコンに接続して使用することができないという欠点があった。
【特許文献１】特開２０００−３１２３９４
【考案の開示】
【考案が解決しようとする課題】
【０００４】
本考案は以上のような従来の欠点に鑑み、ボールペンの使用とＩＣレコーダとしての使用を同時にでも行なえるとともに、分離しての使用と、パソコンに接続して使用することができ、かつＵＳＢ端子の不使用時には安全にカバーすることができるＩＣレコーダペンを提供することを目的としている。
【０００５】
本考案の前記ならびにそのほかの目的と新規な特徴は次の説明を添付図面と照らし合わせて読むと、より完全に明らかになるであろう。
ただし、図面はもっぱら解説のためのものであって、本考案の技術的範囲を限定するものではない。
【課題を解決するための手段】
【０００６】
上記目的を達成するために、本考案は先端部材と、この先端部材の後端部に回転可能に取付けられた、該先端部材の先端部よりボールペンの芯を出没させることができる軸部材と、この軸部材の後端部に着脱可能に取付けられた、該軸部材と着脱される部位にＵＳＢ端子が設けられたＩＣレコーダが組み込まれた頭部部材とでＩＣレコーダペンを構成している。
【考案の効果】
【０００７】
以上の説明から明らかなように、本考案にあっては次に列挙する効果が得られる。
【０００８】
（１）先端部材と、この先端部材の後端部に回転可能に取付けられた、該先端部材の先端部よりボールペンの芯を出没させることができる軸部材と、この軸部材の後端部に着脱可能に取付けられた、該軸部材と着脱される部位にＵＳＢ端子が設けられたＩＣレコーダが組み込まれた頭部部材とで構成されているので、ボールペンの使用とＩＣレコーダの使用とを同時にでもできる。
したがって、効率よく使用することができる。
【０００９】
（２）前記（１）によって、頭部部材のＵＳＢ端子が軸部材の後端部に着脱可能に取付けられるので、ＵＳＢ端子の開口部が軸部材の後端部で覆われ、安全に使用することができる。
【００１０】
（３）前記（１）によって、頭部部材を軸部材より外して、頭部部材のＵＳＢ端子をパソコンに接続して、頭部部材に組み込まれたＩＣレコーダをパソコンで使用することができる。
【００１１】
（４）請求項２も前記（１）〜（３）と同様な効果が得られる。
【考案を実施するための最良の形態】
【００１２】
以下、図面に示す本考案を実施するための最良の形態により、本考案を詳細に説明する。
【００１３】
図１ないし図２２に示す本考案を実施するための最良の第１の形態において、１は本考案のＩＣレコーダペンで、このＩＣレコーダペン1は先端部材２と、この先端部材２の後端部に回転可能に取付けられた、該先端部材２の先端部よりボールペンの芯３を出没させることができる軸部材４と、この軸部材４の後端部に着脱可能に取付けられた、該軸部材４と着脱される部位にメス型のＵＳＢ端子５が設けられたＩＣレコーダ６が組み込まれた頭部部材７とで構成されている。
【００１４】
前記先端部材２は図４に示すようにほぼ円錐台形状に形成されたボールペンの芯挿入孔８を有する先端部９と、この先端部９の後端中央部に回転可能に取り付けられた後端外周部にセレーション状の嵌合部１０が形成された回転筒１１と、この回転筒１１内に回転可能に取り付けられた先端外周部に前記先端部９のボールペンの芯挿入孔８の内壁面に形成された螺旋溝１２と係合する係合ピン１３が形成されたボールペンの芯支持筒１４と、このボールペンの芯支持筒１４の端部の内壁面に形成されたねじ部１５と外周部のねじ部１６と螺合してボールペンの芯３を固定するボールペンの芯固定部材１７とで構成されている。
【００１５】
前記軸部材４は前記先端部材２の回転筒１１を覆うことができる筒部材１８と、この筒部材１８の後端部に一体形成された後端部の内壁面にねじ部１９が形成された接続部材２０と、前記筒部材１８の内部に嵌合固定された内壁に前記先端部材２のセレーション状の嵌合部１０と着脱可能に嵌合する嵌合部２１が形成された嵌合筒２２とで構成されている。
【００１６】
前記頭部部材７は前記軸部材４の接続部材２０のねじ部１９と螺合するねじ軸２３が形成され、後端外周部にフック２４が取付けられた頭部部材本体２５と、この頭部部材本体２５のねじ軸２３部位に取付けられたメス型のＵＳＢ端子５およびリセットボタン挿入孔２６と、前記頭部部材本体２５内に組み込まれたＩＣレコーダ６と、前記頭部部材本体２５の後端部寄りに形成されたＬＥＤランプやマイク用の透孔２７およびジョグボタン２８用のジョグボタン用の長孔２９とからなり、前記ＩＣレコーダ６は図７に示すように前記ＵＳＢ端子５に充電状態を示すＲＧＢ−ＬＥＤ等のランプ３０を備えた充電保護回路３１、バッテリー３２を介して設けられたシステム制御部３３と、このシステム制御部３３に接続されたメモリー３４、データ交換器３５、イヤホン３６、マイクロホン３７、スイッチ３８、３９、４０、録音状態を示すＲＧＢ−ＬＥＤ等のランプ３０および再生状態を示すＲＧＢ−ＬＥＤ等のランプ３０とで構成されている。  
【００１７】
上記構成のＩＣレコーダペン１は筆記具として使用する場合は、図８に示すように先端部材２と軸部材４とを正・逆回転させると、先端部材２の先端部９のボールペンの芯挿入孔８の内壁面に形成された螺旋溝１２と係合するボールペンの芯支持筒１４の係合ピン１３によって、ボールペンの芯支持筒１４が軸心方向に移動し、該ボールペンの芯支持筒１４に固定された、ボールペンの芯３の先端部材２の先端部より出没するので、先端部より突出させた状態で使用する。
ＩＣレコーダ６で録音する場合、図９に示すようにジョグボタン２８を長く押して、ＲＧＢ−ＬＥＤなどのランプ３０が赤色に点灯した状態にする。
図１０に示すようにジョグボタン２８を短く押すと録音を開始するとともに、赤色に点灯していたＲＧＢ−ＬＥＤなどのランプ３０が所定時間点滅し、その後消灯するが、録音は続けられた状態である。
図１１に示すようにジョグボタン２８を短く押すと録音が停止し、ＲＧＢ−ＬＥＤなどのランプ３０が赤色の点灯状態のスタンバイ状態となる。
図１２に示すようにジョグボタン２８を長く押すと電源がＯＦＦ状態となる。
【００１８】
ＩＣレコーダ６の録音を再生する場合、図１３に示すように軸部材４と頭部部材７とを持って回転させ、軸部材４のねじ部１９と螺合している頭部部材７のねじ軸２３を外す。
しかる後、図１４に示すようにＵＳＢ端子５にイヤホン３６を接続し、図１５に示すようにジョグボタン２８を長く押し、ＲＧＢ−ＬＥＤなどのランプ３０が赤色に点灯するように電源をＯＮ状態のスタンバイ状態にする。
図１６に示すようにジョグボタン２８を下げると、ＲＧＢ−ＬＥＤ等のランプ３０が緑色に点滅して録音ファイルを再生する。
図１７に示すようにジョグボタン２８を短く押し下げると再生が停止し、ＲＧＢ−ＬＥＤなどのランプ３０が赤色に点灯してスタンバイ状態となる。
ジョグボタン２８を長く押し下げると、電源がＯＦＦ状態となる。
【００１９】
次に再生中にジョグボタン２８を図１８に示すように上げると、次のファイルの再生が始まり、ジョグボタン２８を下げると前のファイルの再生が始まる。
再生中に図１９に示すようにジョグボタン２８を長く上げると音量が上がり、図２０に示すようにジョグボタン２８を長く下げると音量が下がる。
【００２０】
パソコン４１と接続する場合、図２１に示すようにＵＳＢ端子５にＵＳＢケーブル４２を接続するとともに、パソコン４１とＵＳＢケーブル４２とを接続することにより、パソコン４１上の音楽再生ソフトにてファイルの再生が可能になる。
また、ストレージ［ＩＧＢ］として利用できる。
【００２１】
また、ＩＣレコーダ６のバッテリー３２の充電は、図２２に示すようにＵＳＢ端子５に接続される端子４３を備えたＡＣアダプタ４４を用いて、家庭用コンセント４５から充電することができ、充電中はＲＧＢ−ＬＥＤ等のランプ３０は点灯し、充電完了後に消灯状態となる。
[考案を実施するための異なる形態]
【００２２】
次に、図２３ないし図２５に示す本考案を実施するための異なる形態につき説明する。なお、この本考案を実施するための異なる形態の説明に当って、前記本考案を実施するための最良の第１の形態と同一構成部分には同一符号を付して重複する説明を省略する。
【００２３】
図２３ないし図２５に示す本考案を実施するための第２の形態において、前記本考案を実施するための最良の第１の形態と主に異なる点は、先端部にパソコンのＵＳＢ端子４６に接続することができるオス型ＵＳＢ端子５Ａを設けた頭部部材７Ａを用いた点で、このような頭部部材７Ａを用いて構成したＩＣレコーダペン１Ａにしても、前記本考案を実施するための最良の第１の形態と同様な作用効果が得られる。
【産業上の利用可能性】
【００２４】
本考案はペン型のＩＣレコーダペンを製造する産業で利用される。
【図面の簡単な説明】
【００２５】
【図１】本考案を実施するための最良の第１の形態の正面図。
【図２】本考案を実施するための最良の第１の形態の背面図。
【図３】図１の３−３線に沿う断面図。
【図４】本考案を実施するための最良の第１の形態の先端部材の説明図。
【図５】本考案を実施するための最良の第１の形態の軸部材の説明図。
【図６】本考案を実施するための最良の第１の形態の頭部部材の説明図。
【図７】本考案を実施するための最良の第１の形態のＩＣレコーダのブロック図。
【図８】本考案を実施するための最良の第１の形態の筆記具としての使用状態の説明図。
【図９】本考案を実施するための最良の第１の形態の録音の使用状態にする説明図。
【図１０】本考案を実施するための最良の第１の形態の録音する時の説明図。
【図１１】本考案を実施するための最良の第１の形態の録音を停止する時の説明図。
【図１２】本考案を実施するための最良の第１の形態のＯＦＦ状態にする説明図。
【図１３】本考案を実施するための最良の第１の形態の軸部材と頭部部材を外す場合の説明図。
【図１４】本考案を実施するための最良の第１の形態のイヤホンを接続した状態の説明図。
【図１５】本考案を実施するための最良の第１の形態の再生の使用状態にする説明図。
【図１６】本考案を実施するための最良の第１の形態の再生状態にする説明図。
【図１７】本考案を実施するための最良の第１の形態の再生停止にする説明図。
【図１８】本考案を実施するための最良の第１の形態の次のファイルの再生の説明図。
【図１９】本考案を実施するための最良の第１の形態の音量を上げる場合の説明図。
【図２０】本考案を実施するための最良の第１の形態の音量を下げる場合の説明図。
【図２１】本考案を実施するための最良の第１の形態のパソコンと接続する状態の説明図。
【図２２】本考案を実施するための最良の第１の形態の充電する状態の説明図。
【図２３】本考案を実施するための第２の形態の正面図。
【図２４】本考案を実施するための第２の形態の頭部部材の説明図。
【図２５】本考案を実施するための第２の形態のパソコンと接続した状態の説明図。
【符号の説明】
【００２６】
１、１Ａ：ＩＣレコーダペン、  ２：先端部材、
３：ボールペンの芯、          ４：軸部材、
５、５Ａ：ＵＳＢ端子、        ６：ＩＣレコーダ、
７、７Ａ：頭部部材、          ８：ボールペンの芯挿入孔、
９：先端部、                  １０：セレーション状の嵌合部、
１１：回転筒、                １２：螺旋溝、
１３：係合ピン、              １４：ボールペンの芯支持筒ねじ部、
１５：ねじ部、                １６：ねじ部、
１７：ボールペンの芯固定部材、１８：筒部材、
１９：ねじ部、                ２０：接続部材、
２１：嵌合部、                ２２：嵌合筒、
２３：ねじ軸、                ２４：フック、
２５：頭部部材本体、
２６：リセットボタン挿入孔、
２７：ＬＥＤランプやマイク用の透孔、
２８：ジョグボタン、          ２９：ジョグボタン用の長孔、
３０：ＲＧＢ−ＬＥＤ等のランプ、
３１：充電保護回路、          ３２：バッテリー、
３３：システム制御部、        ３４：メモリー、
３５：データ交換器、          ３６：イヤホン、
３７：マイクロホン、
３８、３９、４０：スイッチ、  ４１：パソコン、
４２：ＵＳＢケーブル、        ４３：端子、
４４：ＡＣアダプタ、          ４５：家庭用コンセント、
４６：パソコンのＵＳＢ端子。
【図１】
0003140058.tif 000003
【図２】
0003140058.tif 000004
【図３】
0003140058.tif 000005
【図４】
0003140058.tif 000006
【図５】
0003140058.tif 000007
【図６】
0003140058.tif 000008
【図７】
0003140058.tif 000009
【図８】
0003140058.tif 000010
【図９】
0003140058.tif 000011
【図１０】
0003140058.tif 000012
【図１１】
0003140058.tif 000013
【図１２】
0003140058.tif 000014
【図１３】
0003140058.tif 000015
【図１４】
0003140058.tif 000016
【図１５】
0003140058.tif 000017
【図１６】
0003140058.tif 000018
【図１７】
0003140058.tif 000019
【図１８】
0003140058.tif 000020
【図１９】
0003140058.tif 000021
【図２０】
0003140058.tif 000022
【図２１】
0003140058.tif 000023
【図２２】
0003140058.tif 000024
【図２３】
0003140058.tif 000025
【図２４】
0003140058.tif 000026
【図２５】
0003140058.tif 000027